(57)【特許請求の範囲】
【請求項１】
無線充電装置上に配置される電子デバイスに基づいてフィードバックを提供するためのシステムであって、
フィードバックの提供のためのプログラム命令群を格納するコンピュータ可読媒体を有するデータ記憶装置と、
前記プログラム命令群を実行する処理装置と、
電子デバイスが前記無線充電装置上にあるという表示を受信するための電子デバイス検出器と、
前記電子デバイスとは独立した前記無線充電装置からの無線充電の強度表示を受信するための強度測定器と、
前記強度測定器の動作を開始するための変位検出器と、
前記測定された強度表示の表示を出力デバイスに通信するための通信機と、
を備え、
前記通信された表示は、ディスプレイデバイスを介してＧＵＩ要素にレンダリングされ、
前記ＧＵＩ要素は、所定の最適な効率に対する無線充電と関連付けられた効率の割合をグラフで示す
ことを特徴とするシステム。
【請求項２】
前記強度測定器は、前記無線充電装置内に埋め込まれたＴＸコイルの周波数成分を利用する、請求項１に記載のシステム。
【請求項３】
前記強度測定器は、前記無線充電装置内に埋め込まれたＴＸコイルの電圧成分を利用する、請求項１に記載のシステム。
【請求項４】
前記強度測定器は、前記無線充電装置内に埋め込まれたＴＸコイルの電流成分を利用する、請求項１に記載のシステム。
【請求項５】
前記強度測定器は、前記無線充電装置内に埋め込まれたＴＸコイルのコイルピーク電圧成分を利用する、請求項１に記載のシステム。
【請求項６】
前記変位検出器は、前記無線充電装置上の前記電子デバイスの検出された移動に基づいて前記強度測定器を起動させる、請求項１乃至５のいずれかに記載のシステム。
【請求項７】
前記変位検出器は、所定の時間の経過に基づいて前記強度測定器を起動させる、請求項１乃至５のいずれかに記載のシステム。
【請求項８】
前記ＧＵＩ要素は、前記効率の割合を棒グラフとして示す、請求項１乃至７のいずれかに記載のシステム。
【請求項９】
前記ＧＵＩ要素は、前記効率の割合をパイチャートとして示す、請求項１乃至７のいずれかに記載のシステム。
【発明の詳細な説明】
【背景技術】
【０００１】
〔関連出願の相互参照〕
本出願は、２０１５年１月２２日に出願され、かつ弁護士整理番号４６１０７−０２１４９（Ｖ２１４−００２７）を有する米国特許出願第１４／６０３，０８９号に関するものであり、この米国特許出願は現出願と同じ譲受人に譲渡され、当該米国特許出願の全てが、本明細書において全てが示されるものとして参照されることにより、当該出願の内容全体が本明細書に組み込まれる。
【０００２】
移動体電子機器及び移動体機器は、益々広く利用されるようになっている。多くの場合、移動体機器（携帯デバイス）は、エネルギー蓄積装置を含み、かつエネルギー蓄積装置内の電力を用いて、移動体機器に関連する機能を実行する。移動体機器はスマートフォン、タブレット、ラップトップなどであり得る。
【０００３】
移動体機器を充電するために、有線充電システムが、従来提供されている。移動体機器の操作者は、移動体機器を充電用電源（例えば、壁の差し込み口、または車載電源アダプター）に接続することができ、そして当該機器が完全に充電されるのを待つ、または、元の充電率より高い充電率に充電されるのを待つ。接続は、有線を介して、または移動体機器に接続されかつユーザが移動体機器を充電用電源にプラグインすることを許容するようなソケットを介して、行なわれる。
【０００４】
近年、有線で充電するという考え方が、無線で充電するという考え方に置き換わってきている、または無線で充電するという考え方で補強されるようになってきている。無線充電を早期に実施した際には、無線エネルギーを移動体機器に伝送するコイルを用いていた。移動体機器は、無線エネルギーを受電して、当該無線エネルギーを利用可能かつ蓄積可能な電力に変換する技術を実装していた。
【０００５】
この実装形態では、単一のコイルが利用される。従って、この種類の無線充電事業者は、ユーザに移動体機器を載置すべき場所の位置または状況を案内するように機能する種々の指示情報を提供することができる。このようにして、ユーザは、移動体機器を、無線充電率を最適化して確保する領域に載置するために効果的に案内される。
【０００６】
近年、大量の移動体機器が新製品として発売されている。他の事例では、移動体機器操作者は、無線充電を利用可能にするケースを取り付ける、または増設することができる。種々の移動体機器は、それぞれ、異なるサイズ及び異なる充電容量を有する。したがって、単一のコイルシステムは、ユーザの無線充電要求に効果的に役立つものでない場合がある。場合によっては、移動体機器（携帯デバイス）に、無線充電能力が組み込まれる。
【０００７】
この懸念に対応するために、無線表面またはシートが提供される。これにより、ユーザは、移動体機器を当該無線表面上またはシート上に配置することができ、この動作に応答して、無線デバイスの充電を開始することができる。したがって、ユーザは、デバイスを特定の位置に配置するように促されなくてもよい。
【０００８】
無線充電を最大にする、または改善するために、コイル（「ＲＸコイル」）を収容する移動体機器は、無線充電システムの送信機コイル（「ＴＸコイル」）と位置合わせされるべきである。ＲＸコイルとＴＸコイルとの位置合わせが近くなるほど、より効率的な充電（すなわち、より高速な充電プロセス）がもたらされる。
【０００９】
移動体機器が位置合わせされない場合、無線充電における特定の問題が発生する場合がある。場合によっては、充電は、非効果的なものとなる場合がある、または移動体機器の所有者を苛立たせるには十分な遅い速度のものとなる場合がある。さらに、無線充電を効率的に提供するには追加の電力が必要であるため、移動体機器は過熱し、バッテリーまたは移動体機器の電気回路が故障する原因となる温度にまで達する場合がある。
【００１０】
これを改善するために、いくつかの無線充電パッドには、位置合わせ補助が組み込まれている。位置合わせ補助とは、効率的または最適な無線充電を達成するための、移動体機器を配置する位置を示す印である。したがって、移動体機器の操作者は、位置合わせ補助の上に移動体機器を配置するように誘導され、その結果、効率的な無線充電が実現される。
【発明の概要】
【００１１】
しかし、この解決策にはいくつかの問題が含まれている。まず、各移動体機器は同じ大きさでないかもしれないし、たとえ移動体機器が同じ大きさでも、ＲＸコイルのそれぞれの機器における位置が同じでないかもしれない。このため、位置合わせ補助は、１つまたはいくつかの移動体機器にとっては効果的なものとなり得るが、全てにとっては非効果的なものにもなり得る。
提案された別の解決策は、移動体機器それ自体への適用である。したがって、移動体機器がディスプレイ画面を組み込む場合、移動体機器は充電がいか程に効率的であるかを表示することができる。この解決策も、いくつかの課題をもたらす場合がある。例えば、移動体機器はオン状態（及び動作可能）である必要がある。さらに、最適な充電が実現されているかどうかを判定するために、移動体機器はＴＸコイルと通信する必要がある。
【００１２】
無線充電装置上に配置される電子デバイスに基づいてフィードバックを提供するためのシステム及び方法が提供される。本システムは、あるデバイスが無線充電装置上にあるという表示（印）を受信するためのデバイス検出器と、強度測定器の動作を開始するための変位検出器と、電子デバイスとは独立した無線充電装置からの無線充電の強度表示を受信するための強度測定器と、測定された強度表示の表示を出力デバイスに通信するための通信機と、を含む。
【００１３】
詳細な説明は、以下の図面を参照して行なわれ、これらの図面では、同様の参照番号は同様の構成要素を指している。
【図面の簡単な説明】
【００１４】
【図１】例示的なコンピュータを示すブロック図である。
【００１５】
【図２Ａ】本明細書中に開示される態様を用いて実装するための、例示的な無線充電装置を示す。
【図２Ｂ】本明細書中に開示される態様を用いて実装するための、例示的な無線充電装置を示す。
【００１６】
【図３】無線充電装置上に配置される電子デバイスに基づいてフィードバックを提供するための、例示的なシステムを示す。
【００１７】
【図４】送信機（ＴＸ）コイルが効率的な量のエネルギーを伝達しているかどうかを判定するための、電流と、電圧と、周波数との組み合わせを採用する、一実施例を示す。
【００１８】
【図５】ＴＸコイルが効率的な量のエネルギーを伝達しているかどうかを判定するための、コイルピーク電圧測定を採用する、一実施例を示す。
【００１９】
【図６Ａ】ディスプレイ上に表示するためのシステムによって採用可能なＧＵＩ要素の実施例を示す。
【図６Ｂ】ディスプレイ上に表示するためのシステムによって採用可能なＧＵＩ要素の実施例を示す。
【図６Ｃ】ディスプレイ上に表示するためのシステムによって採用可能なＧＵＩ要素の実施例を示す。
【００２０】
【図７】無線充電装置上に配置される電子デバイスに基づいてフィードバックを提供するための、例示的な方法を示す。
【００２１】
【図８Ａ】図３のシステムの実装の実施例を示す。
【図８Ｂ】図３のシステムの実装の実施例を示す。
【発明を実施するための形態】
【００２２】
本発明は、添付の図面を参照しながら以下に更に完全な形で説明される。これらの図面では、本発明の例示的な実施形態が図示されている。しかしながら、本発明は、多くの異なる構成で具体化することができるので、本明細書において開示される実施形態に限定されるものとして解釈されるべきではない。限定されるのではなく、むしろ、これらの例示的な実施形態は、本開示が包括的なものとなって、本発明の範囲を当該技術分野の当業者に完全に伝えるというように、提供される。本開示の目的のために、「それぞれのうちの少なくとも一方の（ａｔ  ｌｅａｓｔ  ｏｎｅ  ｏｆ  ｅａｃｈ）」とは、該当する表現に続いて列挙される構成要素群の任意の組み合わせ、列挙される複数の構成要素の組み合わせを含む、を意味する。例えば、「Ｘ，Ｙ，Ｚのうちの少なくとも１つ（ａｔ  ｌｅａｓｔ  ｏｎｅ  ｏｆ  Ｘ，  Ｙ，  ａｎｄ  Ｚ）」とは、Ｘのみ、Ｙのみ、Ｚのみを意味するか、または、２つ以上のアイテムＸ、Ｙ、及びＺの任意の組み合わせを意味すると考えられる（例えば、ＸＹＺ、ＸＺ、ＹＺ、Ｘ）。図面及び詳細な説明の全体を通じて、異なることが記載されていない限り、同じ図面参照番号は、同じ構成要素群、特徴群、及び構造群を指していると理解される。これらの構成要素の相対的なサイズ及び表示は、明瞭性、図示性、及び簡便性のために、誇張されている可能性がある。
【００２３】
無線充電をユーザに提供することによって、ワイヤ及び他の仲介接続技術を採用する煩雑さを回避しながら、移動体機器を効果的に充電することが可能になる。無線充電の一実施例では、無線でエネルギーを生成し、空間を介してそのエネルギーを伝送するために、金属コイルが使用される。移動体機器には、無線エネルギーを受信し、その受信した無線エネルギーを当該機器を動作させるために使用され得る電力に変換する受信機が装備され得る。移動体機器（または電子デバイス）は、スマートフォン、タブレット、ウェアラブルウォッチ等の、充電を必要とする任意のデバイスであり得る。
【００２４】
背景技術の欄で説明したように、無線充電表面が実装されて、ユーザに提供され得る。無線充電表面は、ＴＸコイル（複数可）として作動する、１つまたは複数のコイルを有することができる。
【００２５】
無線表面上の移動体機器の配置に応じて、個々のコイルの充電が改善または悪化する場合がある。単一のコイルから移動体機器を充電する能力は、様々な要因によって決定されるが、その要因の１つは、充電されるデバイスのＲＸコイルに対するＴＸコイルの位置である。
【００２６】
したがって、最適な位置、すなわち、エネルギーをＴＸコイルからＲＸコイルに効率的に供給する位置によって、最も高速かつ安全な様式で、移動体機器を充電することが可能になる。しかし、無線充電システムは、ＴＸコイルが視界から遮られる様式で実装される場合があるため、最適な配置の認識を行えない場合がある。
【００２７】
本明細書中に開示されるのは、無線充電装置上に配置される電子デバイスに基づいてフィードバックを提供するためのシステム、方法、及び無線充電装置である。無線充電装置は、電子デバイスを無線で充電するべく当該電子デバイスを配置するのを可能にする、当該無線充電システムに装着された表面を含む。
【００２８】
無線充電装置は、電子デバイスに装着または取り付けられたＲＸコイルにエネルギーを誘導的に伝達するＴＸコイルを含むことができる。無線充電装置は様々な状況、例えば自動車内で使用される場合があり、そのため、美的な理由から、ＴＸコイルは視界から遮られることがある。しかし、本明細書中に開示される態様を採用することによって、移動体機器の操作者は、改善された充電効率を伴う電子デバイスを配置する位置を決定することができる。
【００２９】
図１は、例示的なコンピュータ１００を示すブロック図である。コンピュータ１００は、チップセット１０４に接続される少なくとも１つの処理装置１０２を含む。チップセット１０４は、メモリコントローラハブ１２０と、入力／出力（Ｉ／Ｏ）コントローラハブ１２２と、を含む。メモリ１０６及びグラフィックスアダプター１１２は、メモリコントローラハブ１２０に接続され、ディスプレイ１１８は、グラフィックスアダプター１１２に接続されている。記憶装置１０８、キーボード１１０、ポインティングデバイス１１４、及びネットワークアダプター１１６は、Ｉ／Ｏコントローラハブ１２２に接続されている。コンピュータ１００の他の実施形態は、異なるアーキテクチャを有することができる。
【００３０】
記憶装置１０８は、ハードドライブ、コンパクトディスクリードオンリメモリ（ＣＤ−ＲＯＭ）、ＤＶＤ、または固体メモリ装置のような、非一時的なコンピュータ可読記憶媒体である。メモリ１０６は、処理装置１０２によって使用される命令群及びデータを保持する。ポインティングデバイス１１４は、マウス、トラックボール、または他の種類のポインティングデバイスであり、キーボード１１０と組み合わせて使用されてデータをコンピュータ１００に入力する。ポインティングデバイス１１４は更に、ゲームシステム制御装置とすることができる、または、ゲームシステムを制御するために使用されるいずれかの種類のデバイスとすることができる。例えば、ポインティングデバイス１１４は、生体認証走査を用いて特定ユーザを検出する動画撮像装置または画像撮像装置に接続され得る。特定ユーザは、モーションまたはジェスチャーを行なってポインティングデバイス１１４に指示することができ、コンピュータ１００の種々の形態を制御することができる。
【００３１】
グラフィックスアダプター１１２は、画像及び他の情報をディスプレイ１１８に表示する。ネットワークアダプター１１６は、コンピュータシステム１００を１つ以上のコンピュータネットワークに接続する。
【００３２】
コンピュータ１００は、コンピュータプログラムモジュール群を実行して、本明細書において説明される機能を実現するように、適合されている。本明細書において使用されるように、「モジュール（ｍｏｄｕｌｅ）」という用語は、指定される機能を提供するために使用されるコンピュータプログラムロジックを指す。従って、モジュールは、ハードウェア、ファームウェア、及び／またはソフトウェアで実行することができる。１つの実施形態では、プログラムモジュール群は、記憶装置１０８に格納され、メモリ１０６に読み込まれ、そして処理装置１０２で実行される。
【００３３】
本明細書において開示されるエンティティ及び手順で使用されるコンピュータの種類は、エンティティが要求する実施形態及び処理能力によって変わり得る。コンピュータ１００は、移動体機器、タブレット、スマートフォン、または上に挙げた構成要素群を有するいずれかの種類の計算エレメント、とすることができる。例えば、ハードディスク、固体メモリまたは記憶装置のようなデータ記憶装置は、複数のブレードサーバを備える分散データベースシステムに格納することができ、これらのブレードサーバは一体となって動作して本明細書において記載される機能を実現する。これらのコンピュータからは、上に記載したコンポーネント群のうちの幾つかのコンポーネントを削除することができ、幾つかのコンポーネントとして、キーボード１１０、グラフィックスアダプター１１２、及びディスプレイ１１８を挙げることができる。
【００３４】
コンピュータ１００は、本明細書において開示されるコンテンツ共有サービスを提供するサーバ（図示せず）として機能することができる。コンピュータ１００は、他のコンピュータ１００のデバイス群とのクラスタリングを行なって、サーバを構成することができる。サーバを構成する種々のコンピュータ１００のデバイス群は、互いにネットワークを介して通信することができる。
【００３５】
図２Ａ及び図２Ｂは、本明細書中に開示される態様を用いて実装するための、例示的な無線充電装置２００を示す。図２Ａを参照すると、無線充電装置２００の断面図が示されている。図２Ｂを参照すると、無線充電装置２００の上面図が示されている。
【００３６】
図２Ａ及び図２Ｂでは、電子デバイス２５０が、無線充電装置２００上に配置されている。電子デバイス２５０は、無線エネルギー伝達２４０を介してストレージユニットが充電されるのを可能にする、任意のポータブル電子デバイスであり得る。
【００３７】
図２Ａに示された無線充電装置２００は例示的なものであり、既知の無線充電装置の他の構成を、図示の無線充電装置２００と交換することができる。無線充電装置２００は、（上部表面２３１を有する）表面層２３０を含む。電子デバイス２５０は当該上部表面２３１上に配置され、当該上部表面２３１と直接接触することができる。
【００３８】
また、コイル２２０が示されている。コイル２２０によって、エネルギー２４０をＲＸコイル２５５に無線伝達することが可能になる。ＲＸコイル２５５は、電子デバイス２５０に取り付けられていて、エネルギー２４０を受信し、そのエネルギーを電子デバイス２５０によって使用可能な電力に変換させる、というように構成され得る。コイル２２０は、電源２１０からの電力を受信（受電）することができる。電源２１０は、バッテリー、車のエンジン、または、無線伝播を介して伝達可能なエネルギーの任意の源、であってよい。
【００３９】
図３は、無線充電装置２００上に配置される電子デバイス２５０に基づいてフィードバックを提供するための、例示的なシステム３００を示す。システム３００は、デバイス検出器３１０、変位検出器３２０、強度測定器３３０、及び通信機３４０を含む。システム３００は、上述のコンピュータ１００等の処理デバイス上に埋め込むことができる。
【００４０】
図３を参照すると、電子制御ユニット（ＥＣＵ）３５０に連結されたシステム３００が示されている。ＥＣＵ３５０は、情報を受信し、かつその情報をシステム３００及び他の構成部分（ディスプレイ３６０または第２のデバイス３７０等）に送るように構成された、任意の種類の処理回路または制御回路であってよい。例えば、システム３００が自動車内に実装される時、ＥＣＵ３５０をセンターコンソールとしてもよい。
【００４１】
ＥＣＵ３５０は、情報をディスプレイ３６０に送るように構成されている。ディスプレイ３６０に送られる情報は、グラフィカルユーザインターフェース（ＧＵＩ）要素にレンダリング（演出、表現）されるデータであり得る。ＧＵＩ要素は、システム３００と関連付けられた様々な状態及び条件、またはＥＣＵ３５０と関連付けられた他の構成部分、を表すことができる。
【００４２】
また、第２のデバイス３７０が示されている。第２のデバイス３７０は、ＥＣＵ３５０と関連付けられた非視覚的出力デバイスであり得る。したがって、システム３００の特定の実装では、実装者は、非視覚的様式で伝えられる情報を構成することができる。例えば、非視覚的出力デバイスは、音声出力、触覚発生器、等であってよい。システム３００の実装者は、当該実装者の好みに基づいて、ディスプレイ３６０と第２のデバイス３７０との任意の組み合わせを含むことができる。
【００４３】
図３に示すように、電子デバイス２５０は、エネルギー２４０を介して無線充電装置２００によって充電されるプロセス中にある。電子デバイス２５０の操作者は、電子デバイスを上部表面２３１の様々な位置内に配置することができ、それによって異なる充電効率を実現することができる。
【００４４】
デバイス検出器３１０は、電子デバイス２５０が無線充電装置２００上にあり、無線伝播を介してエネルギー２４０を受信している、という表示（indication）を受信する。無線充電装置２００は、（デバイスがオン状態か？３０１のデータファイルを介して）情報またはデータをシステム３００に伝送することができる。デバイス検出器３１０は、デバイスが、所定の時間が経過した後に、まだオン状態であるか否かを再検査するように、構成され得る。
【００４５】
変位検出器３２０は、電子デバイス２５０が変位されたか否かを検出する。当該変位は、意図的にまたは非意図的に生じる場合がある。例えば、電子デバイス２５０の操作者は、電子デバイス２５０を表面２３１上の第１の位置から第２の位置に移動することを選択できる。別の実施例では、操作者からの相互作用が全くないのに、電子デバイス２５０が移動し得る。例えば、無線充電装置２００が自動車内に実装される場合、自動車の移動は、電子デバイス２５０が変位される原因となり得る。
【００４６】
一実施例では、変位検出器３２０は、電子デバイス２５０の移動を検出するセンサに連結され得る。当該センサは、システム３００に連結することができる、または無線充電装置２００内に形成することができる。当該センサは、変位データ３０２をシステム３００に伝送し、それによって、電子デバイス２５０の移動を示すことができる。
【００４７】
別の実施例では、変位検出器３２０及びシステム３００は、同時にセンサを省略することができる。システム３００の別の実装では、所定の時間が経過した後に再検査を開始するように、変位検出器を構成することができる。変位検出器３２０が（変位を検出することによって、または、所定の時間が経過するのを待って）再検査を開始した場合、システム３００は、強度測定器３３０を起動するように命令される。
【００４８】
強度測定器３３０は、電子デバイス２５０と無線充電装置２００との間のエネルギー伝達の効率を測定する。強度測定器３３０は、エネルギー伝達の強度（または効率）を判定することができる測定モジュールを含むように、構成され得る。別の実施例では、強度測定器３３０は、開始信号３０３を、無線充電モジュール２００もしくは充電効率を測定するための別のシステムまたはデバイスに、通信することができる。いずれの場合でも、強度データ３０４はシステム３００によって受信される。
【００４９】
無線伝達の強度／効率の判定は、多数の技術によって達成することができる。図４は、ＴＸコイル２２０が効率的な量のエネルギーを伝達しているかどうかを判定するための、電流と、電圧と、周波数と、の組み合わせを採用する、一実施例を示す。図４に示す様々なパラメータは、所定の効率量と相関し得る。
【００５０】
図５は、ＴＸコイル２２０が効率的な量のエネルギーを伝達しているかどうかを判定するためのコイルピーク電圧測定を採用する、一実施例を示す。またしても、様々なコイルピーク電圧量は、所定の充電効率と相関し得る。
【００５１】
図４及び図５に採用されるパラメータは、単に例示的なものにすぎない。どちらの場合も、測定されたパラメータは、無線充電装置２００を介して得られる情報にのみ依拠する（すなわち、電子デバイス２５０またはＲＸコイル２５５とは独立した）ものである。したがって、無線充電装置２００のみから信号強度を判定するための他の技術を採用することができる。
【００５２】
一旦上に列挙された技術のうちの１つ（または、別の許容される技術）によって強度３０４が得られると、システム２００は、当該強度と関連付けられた表示（またはＧＵＩ要素）３０５を読み出す。一実施例では、表示３０５は、ＥＣＵ３５０に通信され得て、その表示と関連付けられたＧＵＩ要素が、ＥＣＵ３５０によって（自動的にか、またはユーザ選択によってか、のいずれかで）判定され得る。別の状況では、システム３００が提供されるルックアップテーブル３０７（永続記憶装置３０６内に記憶される）に基づいて、ＧＵＩ要素を選択することができる。
【００５３】
ルックアップテーブル３０７は、強度フィールド３０８及びＧＵＩ要素３０９という２つのフィールドを有することができる。したがって、それぞれの強度３０４の量（または量の範囲）は、特定のＧＵＩ要素と相関し得る。
【００５４】
図６Ａ〜図６Ｃは、ディスプレイ３６０上に表示させるための、システム３００によって採用可能なＧＵＩ要素３０５の実施例を示す。図６Ａを参照すると、増大バー６００が示されている。図６Ｂを参照すると、棒グラフ６１０が示されている。図６Ｃを参照すると、パイチャート６２０が示さていれる。
【００５５】
３つのグラフ描写（６００、６１０、及び６２０）の全てにおいて、ＧＵＩ要素３０５はディスプレイ上にレンダリングされて、信号強度３０４の描写が示される。ディスプレイ３６０上に示されるＧＵＩ要素は、信号強度３０４の量を表し、したがって、電子デバイス２５０が表面２３１上で変位されるにつれて、変化し得る。
【００５６】
例えば、増大バー６００では、強度３０４がより高いまたは最適な率となる場所に電子デバイス２５０が移動されるにつれて、増大バーに示される電力６０１の表示（印）が増大し得る。
【００５７】
したがって、棒グラフ６１０の例では、強度３０４がより高いまたは最適な率となる場所に電子デバイス２５０が移動されるにつれて、表示（印）６１１が増大し得る。先例に倣って、パイチャート６２０の例では、強度３０４が表面２３１上の移動のために増大するにつれて、パイチャート６２０の部分６２１が増大し得る。
【００５８】
通信機３４０は、表示（または、ＧＵＩ要素）３０５をＥＣＵ３５０に通信することができる。ＥＣＵ３５０は、ＧＵＩ要素をレンダリングすることができる、または読み出されたＧＵＩ要素をディスプレイ３６０に伝播することができる。上で説明されたように、ＥＣＵ３５０は、表示３０５を、第２のデバイス３７０（例えば、スピーカ３７１または触覚発生器３７２）を介して、非視覚的な様式で出力することができる。
【００５９】
図７は、無線充電装置上に配置される電子デバイスに基づいてフィードバックを提供するための、例示的な方法７００を示す。方法７００は、コンピュータ１００等の処理デバイス上で行うことができる。
【００６０】
動作７１０では、無線充電装置上にあるデバイスの検出が行われる。無線充電装置それ自体によって、または無線充電装置のポーリング７１５を行うことによって、検出が行われ得る。「ＮＯ」の場合、ポーリング７１５は、所定の間隔で（時間またはイベントに基づいて）生じ得る。「ＹＥＳ」の場合、方法７００は、（実装に応じて）動作７２０または７３０に進む。
【００６１】
動作７２０では、変位が検出されたかどうかに関する判定が行われる。「ＮＯ」の場合、方法７００は、別のポーリング動作７２５を行う。したがって、方法７００は、変位が検出されるまで、動作７２０にとどまる。ポーリング７２５は、所定の時間が経過した後、動作７２０において判定を開始する。変位が検出された場合、方法７００は動作７４０に進む。
【００６２】
方法７００中で代替のルートとして提示される動作７３０では、所定の時間の後で、方法７００は動作７４０に進むことができる。
【００６３】
動作７４０では、無線充電と関連付けられた強度が測定される。強度測定は、上に列挙された技術のいずれかに従うものであり得る。強度測定によって、電子デバイスへのエネルギーの無線伝達と関連付けられた効率が記録される。動作７４０で行われる強度測定は、送信機から確認される情報を採用するのみである。したがって、ＲＸコイルまたは電子デバイスへの接続は不要となる。
【００６４】
動作７５０では、強度と関連付けられた表示が読み出される。システム３００について上で説明されたように、表示は、充電がいかに効率的であるかに関連付けられたデータであり得る。例えば、強度は、（最適な量に対する）充電の割合に関連付けられたものであってよい。表示または割合は、図６Ａ〜図６Ｃに示されるもの等の、所定のＧＵＩ要素に変換することができる。
【００６５】
動作７６０では、ＧＵＩ要素を表示することができる。方法７００の別の実施形態では、ＧＵＩ要素は別のデバイス（ＥＣＵ等）に通信されて、ディスプレイ上にレンダリングされる。
【００６６】
図８Ａ及び図８Ｂは、システム３００の実装の実施例を示す。この実装は、無線充電を提供するのに好適である任意の位置、例えば自動車内、であってよい。
【００６７】
図８Ａ及び図８Ｂに示されているのは、システム３００に連結される、無線充電装置２００である（パッド２３０及び表面２３１が図示されている）。システム３００は、ディスプレイ３６０に連結される。ディスプレイ３６０は、ＧＵＩ要素３０５（または印６０１）と共に増大バー６００を表示するように構成される。ＧＵＩ要素３０５は、ＴＸコイル２２０とＲＸコイル２５５との間の無線電力伝達と関連付けられた、効率の割合を示す。図８Ａ及び図８Ｂに示される実施例では、ＴＸコイル２２０が示される。しかしこれは、単に例示を目的として行われるものである。多くの実装では、ＴＸコイル２２０は、無線充電表面２３０によって遮られるであろう。
【００６８】
図８Ａでは、ＴＸコイル２２０及びＲＸコイル２５５は、距離が約８００離れていると示されている。これは、５０％の効率（例示的な量）に反映されている。したがって、本明細書中に開示される態様を採用して、システム３００がＧＵＩ要素３０５をレンダリングし、電力レベル６０１が図８Ａのディスプレイ３６０上に示される。図示のように、グラフ６００はほぼ半分が満たされている。
【００６９】
図８Ｂでは、約８１０の電子デバイス２５０の移動によって、ＲＸコイル２５５とＴＸコイル２２０とが、図８Ａに示されるものよりも広く重なり合う。したがって、充電の効率は、実質的にはより大きくなり得る。これは、ディスプレイ３６０内のグラフ６００が実質的に満たされる、ということに反映される。
【００７０】
したがって、電子デバイス２５０の操作者は、充電を最適なものとするまたは改善するのを確実にするために、本明細書中に開示される態様を採用して、電子デバイス２５０を無線充電表面２３０上に手動で移動させることができる。
【００７１】
当該技術分野の当業者であれば、本発明の思想または範囲から逸脱しない限り、種々の変形及び変更を本発明に加えることができることを理解するであろう。従って、本発明は、本発明の変形及び変更を、それらが添付の特許請求の範囲及びその均等物の範囲に含まれるならば、包含するものである。
【図１】
0006488243.tif 000002
【図２Ａ】
0006488243.tif 000003
【図２Ｂ】
0006488243.tif 000004
【図３】
0006488243.tif 000005
【図４】
0006488243.tif 000006
【図５】
0006488243.tif 000007
【図６Ａ】
0006488243.tif 000008
【図６Ｂ】
0006488243.tif 000009
【図６Ｃ】
0006488243.tif 000010
【図７】
0006488243.tif 000011
【図８Ａ】
0006488243.tif 000012
【図８Ｂ】
0006488243.tif 000013